(57)【要約】【課題】  自動原稿搬送装置の原稿トレーに関係の無い原稿が載置された場合であっても、原稿台ガラス上の原稿を確実に読取ることが可能な画像読取装置を提供すること【解決手段】  本発明は、画像読取装置本体の上面の原稿載置板に載置された原稿の画像を、画像読取手段を移動させて読み取る第１の読取モードと、原稿トレイ上に載置された原稿を自動原稿搬送手段によって搬送して上記画像読取手段を通過させ、原稿が通過する際に原稿の画像を読み取る第２の読取モードとを有する画像読取装置において、前記第１の読取モードと前記第２の読取モードを切り替える切替手段を備える。【選択図】  図３
2006229896.tif 000002
【特許請求の範囲】
【請求項１】
画像読取装置本体の上面の原稿載置板に載置された原稿の画像を、画像読取手段を移動させて読み取る第１の読取モードと、原稿トレイ上に載置された原稿を自動原稿搬送手段によって搬送して上記画像読取手段を通過させ、原稿が通過する際に原稿の画像を読み取る第２の読取モードとを有する画像読取装置において、前記第１の読取モードと前記第２の読取モードを切り替える切替手段を備えたことを特徴とする画像読取装置。
【請求項２】
上記自動原稿搬送手段の開閉を検知する開閉検知手段を備え、前記開閉検知手段が、前記自動原稿搬送手段の開閉を検知したとき、上記切替手段は、上記第１の読取モードに切り替えることを特徴とする請求項１記載の画像読取装置。
【発明の詳細な説明】
【技術分野】
【０００１】
本発明は、自動原稿搬送装置を備える画像読取装置に関する。
【背景技術】
【０００２】
複写機やファクシミリ等の画像形成装置においては、原稿を読み取る画像読取装置を備え、最近では原稿を1枚ずつ自動で搬送し読取を行う自動原稿搬送装置（ＡＤＦ：Auto  Document  Feeder）を備えるものが一般的となっている。
【０００３】
図５は、特許文献１に開示されている画像読取装置の概略図である。また、図６は、特許文献１に開示されている自動原稿搬送装置の概略図である。この画像読取装置は、本体上部に自動原稿搬送装置８０２を備える。
【０００４】
自動原稿搬送装置８０２は、原稿を１枚ずつ送り出して画像読み取り位置へと搬送し、画像読み取りが終わった原稿を所定の場所に排紙処理する装置である。この自動原稿搬送装置８０２には、原稿を積載する原稿トレー１００１に原稿１００２を積載すると、積載されたことを検知する用紙有無検知センサ１００３を備える。
【０００５】
本体内には、原稿台ガラス８０３、第1光学ユニット９０１、第２光学ユニット９０２、レンズ８１０、ＣＣＤ８１１等を備える。
【０００６】
上記構成の画像読取装置において、自動原稿搬送装置８０２で搬送できないような、例えば本のように厚みのある原稿を読取る時は、原稿台ガラス８０３上に原稿を載置して読取る。複数枚の原稿の読取は、自動原稿搬送装置８０２を使用する。
【０００７】
原稿読取の開始が実行されると、所定時間経過後の用紙有無検知センサ１００３の検知状態により、原稿台ガラス８０３上を読み取るか、自動原稿搬送装置８０２を使用し読取るかが決定される。
【特許文献１】特開２００４−３７７４８号公報
【発明の開示】
【発明が解決しようとする課題】
【０００８】
しかしながら、上記特許文献１に開示されている画像形成装置によれば、ユーザーが自動原稿搬送装置による読み取りを行う意図で、原稿が自動原稿搬送装置に載置されたときには良いが、原稿台ガラスによる読み取りを意図し原稿台ガラスに原稿を載置し、たとえば自動原稿搬送装置に他の原稿を置いてしまったときに、用紙有無検知センサが他の原稿を検知してしまうと自動原稿搬送装置による読み取りと判断し搬送動作が開始してしまうことがあった。このとき他の原稿が原稿トレーに対して斜めに載置されていると、この原稿が破損してしまう恐れもあった。
【０００９】
本発明は、上記従来の事情に基づいて提案されたものであって、自動原稿搬送装置の原稿トレーに関係の無い原稿が載置された場合であっても、原稿台ガラス上の原稿を確実に読取ることが可能な画像読取装置を提供することを目的とする。
【課題を解決するための手段】
【００１０】
本発明は、上記目的を達成するために以下の手段を採用している。
【００１１】
すなわち、請求項１に記載の画像読取装置は、画像読取装置本体の上面の原稿載置板に載置された原稿の画像を、画像読取手段を移動させて読み取る第１の読取モードと、原稿トレイ上に載置された原稿を自動原稿搬送手段によって搬送して上記画像読取手段を通過させ、原稿が通過する際に原稿の画像を読み取る第２の読取モードとを有する画像読取装置において、前記第１の読取モードと前記第２の読取モードを切り替える切替手段を備えたことを特徴とするものである。
【００１２】
また、請求項２に記載の画像読取装置は、請求項1記載の画像読取装置において、自動原稿搬送手段の開閉を検知する開閉検知手段を備え、前記開閉検知手段が、前記自動原稿搬送手段の開閉を検知したとき、上記切替手段は、上記第１の読取モードに切り替えることを特徴とするものである。
【発明の効果】
【００１３】
本発明によれば、自動原稿搬送装置の原稿トレーに関係の無い原稿が載置された場合であっても、原稿台ガラス上の原稿を確実に読取ることが可能な画像読取装置を提供することが可能である。
【発明を実施するための最良の形態】
【００１４】
以下、本発明の実施の形態を図面にしたがって詳細に説明する。
【００１５】
本発明を適用した複写機は、図１に示すように、複写機本体の上部に自動原稿搬送装置１を備えるとともに、複写機本体内に画像読み取り部２、画像形成部３、給紙部５及び転写材収納部７を備えている。
【００１６】
自動原稿搬送装置１は、原稿を搬送するローラ及び前記ローラを駆動するモータ、原稿の有無や搬送タイミングを検知するセンサ、搬送路を切り替えるソレノイド等で構成され、原稿トレイ１１に載置された原稿束から、原稿を１枚ずつ、読み取り位置２１まで搬送し排出トレイ１２に排出する。
【００１７】
画像読み取り部２は、光源２３１とミラー２３２で構成される光源ユニット、ミラー２４１、２４２で構成されるミラーユニット、レンズ２５、ＣＣＤ２６、プラテンガラス２７（原稿載置板に相当）等で構成される。前記プラテンガラス２７に載置された原稿Ｄの画像を読み取るときは（第１の読み取りモードに相当）、光源ユニット及びミラーユニット（画像読取手段に相当）を走査し画像を読み取る。原稿トレイ１１上に載置された原稿を自動原稿搬送手段によって搬送して原稿を読み取るときは（第２の読み取りモードに相当）、光源ユニット及びミラーユニットを図１の破線部の位置に固定し、読み取り位置２１にて、搬送される原稿を読み取る。
【００１８】
画像形成部３は、感光体ドラム３１、現像部３４、露光部３３、帯電部３２、転写部３５、クリーニング部３７、定着部３８、用紙搬送部等を備え、手差し給紙部１９あるいは給紙部５の転写材収納部７から用紙が供給され、画像読取部２により読み取られた画像を感光体ドラム３１に形成後、用紙に転写、定着し排紙トレイ６４に排出する。
【００１９】
また、図２に複写機の外観図を示す。自動原稿搬送装置１の前面にはプッシュ型のＡＤＦ選択スイッチ１５が備えられ、画像読み取り部２の操作表示部６には、プッシュ型のプラテン選択スイッチ２８が備えられる。このスイッチを押すことにより第１の読み取りモードで読み取るか、第２の読み取りモードで読み取るかを選択する。即ち、ＡＤＦ選択スイッチ１５をプッシュすると、第２の読み取りモードが選択され、プラテン選択スイッチ２８をプッシュすると第１の読み取りモードが選択される。
【００２０】
自動原稿搬送装置１及び画像読み取り部２のブロック図を図３に示す。
【００２１】
画像読み取り部２には、ＣＰＵや、プログラムが記憶されたＲＯＭ、作業記憶領域のＲＡＭ等で構成される制御部２２（切り替え手段に相当する）、光源ユニットやミラーユニットを駆動するモータ、レンズ２５、ＣＣＤ２６等で構成され画像読み取り駆動部２９、プラテンガラス２７に載置された原稿のサイズを検知するサイズ検知センサで構成される検知部２０、プラテン選択スイッチ２８、及び制御部の制御により図示しないＤＣ電源からの電源を自動原稿搬送装置１に供給するかしないかを切り替える電源切替部９、さらに、図４に示すように自動原稿搬送装置１の開閉を検知する開閉スイッチ８で構成される。
【００２２】
自動原稿搬送装置１には、ＡＤＦ選択スイッチ１５、原稿を搬送するローラ及び前記ローラを駆動するモータ、搬送路を切り替えるソレノイド等を備えるＡＤＦ駆動部１６、原稿の有無や搬送タイミングを検知するセンサを備えるＡＤＦ検知部１７で構成される。ＡＤＦ駆動部１６およびＡＤＦ検知部１７の電源は、前記電源切替部より供給される。
【００２３】
図中の実線は信号の流れを、破線は電源の供給を示す。
【００２４】
次に、本発明における動作を説明する。複写機の電源をオンすると、制御部２２は電源切替部９を制御し自動原稿搬送装置１への電源供給を停止し第１の読み取りモードとする。従ってこの状態では、自動原稿搬送装置１に原稿をセットしてコピーを開始しても自動原稿搬送装置１にセットされた原稿は給紙されず第１の読み取りモードで読み取られる。自動原稿搬送装置１を使用し第２の読み取りモードで読み取りたいときは、ＡＤＦ選択スイッチを押すことにより、制御部２２がこれを検知し電源切替部９を制御し自動原稿搬送装置１への電源供給をオンとする。このときＡＤＦ検知部１７が原稿がセットされているかどうかを検知し、検知されていればコピー開始指示により読み取りが開始される。原稿が検知されていないときは読み取りを開始しない。
【００２５】
その後、再度第１の読み取りモードで読み取りたいときは、プラテン選択スイッチ２８を押すことにより電源投入時の状態に戻り、コピー開始指示により第１の読み取りモードで読み取りが開始される。
【００２６】
以上のように、第１の読み取りモードで読み取るときには、自動原稿搬送装置１には電源が供給されず、原稿トレイに意図しない原稿がセットされていても給紙される恐れがない。
【００２７】
他の実施例として、上記実施例ではプラテン選択スイッチ２８により第１の読み取りモードの選択を行ったが、このプラテン選択スイッチ２８の代わりに開閉スイッチ８を使用する。原稿をプラテンガラス２７にセットするときは自動原稿搬送装置１の開閉を行うため、開閉スイッチ８が開の状態から閉じられたことを制御部２２が検知すると、第１の読み取りモードに自動的に切り替わる構成とする。
【００２８】
また、上記実施例では自動原稿搬送装置１の電源供給のオン、オフを行う構成としたが、さらに第２の読み取りモード時は、検知部２０の電源を電源切替部によりオフとする構成としてもよい。
【産業上の利用可能性】
【００２９】
本発明にかかる画像読取装置によれば、自動原稿搬送装置の原稿トレーに関係の無い原稿が載置された場合であっても、原稿台ガラス上の原稿を確実に読取ることが可能であり、複写機やファクシミリ等に適用することができる。
【図面の簡単な説明】
【００３０】
【図１】本発明を適用した複写機の構成図
【図２】本発明を適用した複写機の外観図
【図３】本発明を適用した画像読取装置のブロック図
【図４】本発明を適用した画像読取装置の外観図
【図５】従来の画像読取装置の構成図である
【図６】従来の自動原稿搬送装置の構成図
【符号の説明】
【００３１】
１      自動原稿搬送装置
２      画像読み取り部
３      画像形成部
５      給紙部
８      開閉スイッチ
１５    ＡＤＦ選択スイッチ
２２    制御部
２７    プラテンガラス
２８    プラテン選択スイッチ
２６    ＣＣＤ（撮像素子）
Ｄ      原稿
【図１】
2006229896.tif 000003
【図２】
2006229896.tif 000004
【図３】
2006229896.tif 000005
【図４】
2006229896.tif 000006
【図５】
2006229896.tif 000007
【図６】
2006229896.tif 000008